(57)【要約】      （修正有）【課題】床面の不陸に対する追随性の良い床見切りを提供する。【解決手段】床見切り１は、同一断面が長手方向に連続する長尺物のカバー材２と、カバー材が上部から嵌着される、同一断面が長手方向に連続する長尺物のベース材３とで構成される。カバー材は、長手方向に直交する断面において、上板４と、上板の下部の両端近傍に設けられている一対の嵌着用突起５と、を備えている。この一対の嵌着用突起の各々は、弾性を有し、ベース材を挟み持つだけでなく、ベース材に上板へと向かう力、即ちベース材を引き寄せる力を与えるようになっている。当該構成を採用することにより、カバー材の一対の嵌着用突起は、ベース材を引き寄せるように挟み持つため、床面に不陸があっても、良好な追随性を示す。【選択図】図１
0003216542.tif 000002
【実用新案登録請求の範囲】
【請求項１】
同一断面が長手方向に連続する長尺物のカバー材と、前記カバー材が上部から嵌着される、同一断面が長手方向に連続する長尺物のベース材と、で構成される床見切りにおいて、
前記カバー材は、上板と、長手方向に直交する断面において、前記上板の下部の両端近傍に設けられている一対の嵌着用突起と、を備えており、前記一対の嵌着用突起の各々は、弾性を有し、前記上板に直交する向き、又は、前記向きよりも嵌着用突起の間隔が広くなる向きに伸び、その先の第１位置で前記嵌着用突起の間隔が狭くなる向きで、水平よりも下方に屈曲し、その先の第２位置で終端しており、前記一対の嵌着用突起の第２位置の間隔は前記基部の間隔よりも狭くなっており、
前記ベース材は、長手方向に直交する断面において、前記上板の底面に向かい合う上面と、前記一対の嵌着用突起の第１位置から第２位置に沿う形状の部分を持つ凹部を有する両側部と、で区画される中実の部分を備えており、
前記カバー材を前記ベース材に嵌着させた場合、前記一対の嵌着用突起の第１位置から第２位置の部分は、前記凹部を挟持し、同時に、前記ベース材に前記上板へと向かう力を与えるようになっている、ことを特徴とする床見切り。
【請求項２】
更に、前記一対の嵌着用突起は、第２位置から間隔が広くなる向きに曲がり伸びており、その先の第３位置で終端しており、前記第３位置の間隔は前記中実の部分の上部の幅よりも広くなっている、請求項１に記載の床見切り。
【請求項３】
前記ベース材は、前記カバー材を前記ベース材に嵌着させた場合、前記カバー材の一対の嵌着用突起の終端が当たらない位置に、前記嵌着用突起の最も幅の広い部分よりも幅広で、前記上板よりも幅狭の基板部を有している、請求項１または請求項２に記載の床見切り。
【請求項４】
前記カバー材は弾性を有する樹脂製で、前記ベース材は木製である、請求項１乃至請求項３の何れか一項に記載の床見切り。
【請求項５】
前記カバー材は弾性を有する金属製で、前記ベース材は木製である、請求項１乃至請求項３の何れか一項に記載の床見切り。
【考案の詳細な説明】
【技術分野】
【０００１】
本考案は、開き戸を取り付ける開口部の枠のうち、床に接して戸を受ける部分に用いられる沓摺等の床見切りの改良に関する。
【背景技術】
【０００２】
図４は、従来の床見切り２００を示す。図示するように、床見切り２００は、コンクリート等の床１００の上に設けられた床材１０１と、床材１０２との境界を見切るのに使われる。床見切り２００は、パイの字状の樹脂製カバー材２０１を、Ｕ字状の樹脂製ベース材２０２に嵌着させて用いられる（例えば特許文献１を参照）。
【先行技術文献】
【特許文献】
【０００３】
【特許文献１】特開２０１４−１４５１６９号公報
【考案の概要】
【考案が解決しようとする課題】
【０００４】
床見切りのカバー材２０１は、通行人に踏まれ得る場所に用いられる。踏まれても凹まないように、カバー材２０１には、ある程度の厚みのあるものが使用されていた。厚みのあるカバー材２０１は硬く、その長手方向に沿って床面１００に不陸があり、ベース材２０２が撓んでいるような場合、柔軟に曲がって追随することは難しい。また、従来の床見切り２００のように、ベース材２０２の突起２０３とカバー材２０１の突起２０４とによってクリック固定するタイプの場合、不陸が原因で、ガタツキが生じる場合があった。
【０００５】
本考案は、上記従来の床見切りが有していた課題を解決するためになされたものであり、床面の不陸に柔軟に追随することができる床見切りを提供することを目的とする。
【課題を解決するための手段】
【０００６】
上記目的を達成するために本考案に係る床見切りは、同一断面が長手方向に連続する長尺物のカバー材と、前記カバー材が上部から嵌着される、同一断面が長手方向に連続する長尺物のベース材と、で構成される床見切りにおいて、前記カバー材は、上板と、長手方向に直交する断面において、前記上板の下部の両端近傍に設けられている一対の嵌着用突起と、を備えており、前記一対の嵌着用突起の各々は、弾性を有し、前記上板に直交する向き、又は、前記向きよりも嵌着用突起の間隔が広くなる向きに伸び、その先の第１位置で前記嵌着用突起の間隔が狭くなる向きで、水平よりも下方に屈曲し、その先の第２位置で終端しており、前記一対の嵌着用突起の第２位置の間隔は前記基部の間隔よりも狭くなっており、前記ベース材は、長手方向に直交する断面において、前記上板の底面に向かい合う上面と、前記一対の嵌着用突起の第１位置から第２位置に沿う形状の部分を持つ凹部を有する両側部と、で区画される中実の部分を備えており、前記カバー材を前記ベース材に嵌着させた場合、前記一対の嵌着用突起の第１位置から第２位置の部分は、前記凹部を挟持し、同時に、前記ベース材に前記上板へと向かう力を与えるようになっている、ことを特徴とする。
【０００７】
更に、前記一対の嵌着用突起は、第２位置から間隔が広くなる向きに曲がり伸びており、その先の第３位置で終端しており、前記第３位置の間隔は前記中実の部分の上部の幅よりも広くなっていることが好ましい。
【０００８】
前記ベース材は、前記カバー材を前記ベース材に嵌着させた場合、前記カバー材の一対の嵌着用突起の終端が当たらない位置に、前記嵌着用突起の最も幅の広い部分よりも幅広で、前記上板よりも幅狭の基板部を有していることが好ましい。
【０００９】
前記カバー材は弾性を有する樹脂製又は金属製で、前記ベース材は木製であることが好ましい。
【考案の効果】
【００１０】
本考案の床見切のカバー材の一対の嵌着用突起は、ベース材を引き寄せるように挟み持つ。このため、床面に不陸があっても、良好な追随性を示す。更には、ベース材が中実構造であるので、踏まれても、カバー材は凹まない。このため、一対の嵌着用突起に掛かる荷重を低減し、設計の自由度を高めることができる。また、従来の中空のベース材を用いる物に比べてカバー材を薄くすることができる。カバー材を薄くすることによって、床面の不陸に対する追随性を更に高めることができる。
【図面の簡単な説明】
【００１１】
【図１】本考案の一実施の形態に係る床見切りのカバー材及びベース材の組み立て方の説明図。
【図２】カバー材をベース材に取り付けた床見切りの断面図。
【図３】床見切りにフランス落としの軸受孔を開けた様子を示す斜視図。
【図４】従来の床見切りの断面図。
【考案を実施するための形態】
【００１２】
本考案に係る床見切りは、同一断面が長手方向に連続する長尺物のカバー材と、カバー材が上部から嵌着される、同一断面が長手方向に連続する長尺物のベース材とで構成される。カバー材は、上板と、長手方向に直交する断面において、上板の下部の両端近傍に設けられている一対の嵌着用突起と、を備えている。この一対の嵌着用突起の各々は、弾性を有し、ベース材を挟み持つだけでなく、ベース材に上板へと向かう力、即ちベース材を引き寄せる力を与える形状を有していることを特徴とする。このため、カバー材は、床面に不陸があっても、良好な追随性を示す。また、ベース材は、中実構造のものを使うことによって、一対の嵌着用突起に掛かる荷重を低減し、設計の自由度を高める。また、中空構造のベース材を使う場合に比べて、カバー材の上板を薄くすることができ、床の不陸に対する追随性を更に高めることができる。
【００１３】
図１は、本考案の床見切りの実施形態を示す斜視図で、図面手前は、床見切り１及びその取り付けを行う床１００、床材１０１、１０２の断面を示している。床見切り１は、コンクリート又は木等の床１００の上に設けられる、床材１０１と床材１０２の境界を見切るのに使われる。床見切り１は、弾性を有する樹脂製又は金属製のカバー材２と、カバー材２を嵌着させる木製のベース材３とで構成されている。カバー材２及びベース材３は、同一断面が図中両矢印で示す長手方向（図中、奥から手前に向かう方向をいう。以下同じ）に連続する長尺物であって、必要とされる長さに切って用いられる。
【００１４】
カバー材２は、その断面において、上板４と、上板４の下部の両端近傍に設けられている一対の嵌着用突起５と、を備えている。上板４の表側にはクロス６が貼り付けられるが、クロス6を貼り付ける代わりに、上板４に直接滑り止めなどの凸凹加工、または模様を施しても良い。
【００１５】
ベース材３は、その断面において、上板２の底面に向かい合う上面７、弾性を有している一対の嵌着用突起５によって挟持される凹部８を有する両側部９と、この両側部９下側にある基板部１０とを備えている。ベース材３は、上面７と両側部９とで区画される中実の部分（点線で囲んで示す領域Ａ）を備えている。本明細書で中実部分とは、カバー材２を人が踏んでも撓んだりしないように、実質的に中実になっている部分を意味する。即ち、ベース材３の表面に凸凹が無い、という場合だけでなく、カバー材２を人が踏んでも撓んだりしないという条件を満たす限りにおいて、例えば、ベース材3の表面が、僅かな凹凸（例えば凸凹の差が０．５ｍｍ以下のような）を有していたり、または、開口サイズの小さな（例えば直径１ｍｍ以下の）孔を有していたり、または、幅の小さな（例えば１ｍｍ以下の）溝を有している場合も、中実部分という語に含む。
【００１６】
基板部１０は、カバー材２をベース材３に嵌着させた場合、カバー材２の一対の嵌着用突起５の終端が当たらない位置に、一対の嵌着用突起５の最も幅の広い部分よりも幅広で、上板４よりも幅狭となるように設定されている。この基板部１０は、見切り１の両側で床材１０１、１０２を敷く際の定規として機能する。
【００１７】
図２は、カバー部２をベース材３に嵌着させた状態を示す断面図である。一対の嵌着用突起５の各々は、弾性を有し、基部５ａから上板４に直交する向き、即ち嵌着用突起の間隔が等しくなる平行な向き、又は、前記直交する向きよりも間隔が広くなる向きに伸びており、その先の第１位置１１で一対の嵌着用突起５の間隔が狭くなる向きで、水平よりも下方に屈曲し、その先の第２位置１２まで伸びている。カバー材２の一対の嵌着用突起５は、第１位置１１から第２位置１２までの部分が必須で、以下にベース材３に嵌着し易くするために第３位置１３にまで伸びているものを説明するが、この第２位置１２で終端するものであっても良い。
【００１８】
一対の嵌着用突起５は、更に、ベース材３に嵌着し易くするため、第２位置１２から間隔が広くなる向きに曲がり伸びており、その先の第３位置１３で終端している。一対の嵌着用突起５の第３位置１３の間隔は、前述した中実の部分の上部、即ち上面７の幅よりも広くなっている。凹部８は、一対の嵌着用突起５の第１位置１１から第２位置１２に沿う形状の部分を持つ。
【００１９】
カバー材２をベース材３に嵌着させた場合、一対の嵌着用突起５の第１位置１１から第２位置１２の部分は、凹部８を挟持し、同時に、ベース材３に上板４へと向かう力、即ちベース材を引き寄せる力を与えるようになっている。このため、カバー材２の長手方向に床面に不陸がありベース材３が撓んでいても、良好な追随性を示す。また、ベース材は、中実構造のものを使う。一対の嵌着用突起に掛かる荷重を低減できるので、設計の自由度を高めることができる。また、中空構造のベース材を使う場合に比べて、カバー材の上板を薄くすることができ、床の不陸に対する追随性を更に高めることができる。
【００２０】
実施例として、幅約９０ｍｍのベース材３に合うように用意した厚み約１．５ｍｍの樹脂製カバー材２は、床材１０１、１０２の高低差が１．５ｍｍあっても、がたつくこと無く、ベース材３に嵌着できた。また、このカバー２は、ベース材３の幅が９１ｍｍの場合であっても、上板４及び嵌着用突起５が撓んで、ベース材３をしっかりと挟み、がたつくこと無く、ベース材３に嵌着できた。
【００２１】
図３は、上板４にフランス落としの軸受１４を設けた状態を示す。例えば、図４に示す従来の床見切り２００の場合、ベース材２０２がＵ字状で、中が中空構造となっており、強度が不足するので、フランス落としの軸受を設ける場合には別途軸受金具を必要としていた。しかし、本実施形態の床見切り１では、上板４の下側に木製のベース材３の中実の部分（点線で囲んで示す領域Ａ）があり、別途軸受金具を用いずとも、孔を開けるだけで済む、という利点がある。
【００２２】
以上説明した床見切りは、上記実施形態の構成に限られず、考案の範囲において、種々の変形を行うことができる。例えば、床見切り１では、樹脂製のカバー材２、木製のベース材３を用いたが、これに限らず、弾性を有するアルミニウム、ステンレス等の金属製のカバー材２、木製のベース材３を用いても良い。カバー材２は、一対の嵌着用突起５に弾性を持たせることができる素材で、好ましくは、ベース材３の長手方向の不陸に対して、当該長手方向において柔軟に曲がるものであればよい。ベース材３は、一対の嵌着用突起５によって挟持されるのに好適な硬度の材料であればよく、木製以外に、例えば樹脂を用いることもできる。
【産業上の利用可能性】
【００２３】
本考案に係る床見切りは、扉の下側に用いる沓摺に用いても良いし、その他の場所の床見切りとして広く一般に使用することができる。
【符号の説明】
【００２４】
１      床見切り
２      カバー材
３      ベース材
４      上板
５      一対の嵌着用突起
５ａ    基部
６      クロス
７      上面
８      凹部
９      側部
１０    基板部
１１    第１位置
１２    第２位置
１３    第３位置
１４    フランス落としの軸受
１００  床
１０１、１０２  床材
Ａ      中実の部分
【図１】
0003216542.tif 000003
【図２】
0003216542.tif 000004
【図３】
0003216542.tif 000005
【図４】
0003216542.tif 000006
【手続補正書】
【提出日】平成30年3月28日(2018.3.28)
【手続補正１】
【補正対象書類名】実用新案登録請求の範囲
【補正対象項目名】請求項１
【補正方法】変更
【補正の内容】
【請求項１】
同一断面が長手方向に連続する長尺物のカバー材と、前記カバー材が上部から嵌着される、同一断面が長手方向に連続する長尺物のベース材と、で構成される床見切りにおいて、
前記カバー材は、上板と、長手方向に直交する断面において、前記上板の下部の両端近傍に設けられている一対の嵌着用突起と、を備えており、前記一対の嵌着用突起の各々は、弾性を有し、前記上板に直交する向き、又は、前記向きよりも嵌着用突起の間隔が広くなる向きに伸び、その先の第１位置で前記嵌着用突起の間隔が狭くなる向きで、水平よりも下方に屈曲し、その先の第２位置で終端しており、前記一対の嵌着用突起の第２位置の間隔は前記一対の嵌着用突起の基部の間隔よりも狭くなっており、
前記ベース材は、長手方向に直交する断面において、前記上板の底面に向かい合う上面と、前記一対の嵌着用突起の第１位置から第２位置に沿う形状の部分を持つ凹部を有する両側部と、で区画される中実の部分を備えており、
前記カバー材を前記ベース材に嵌着させた場合、前記一対の嵌着用突起の第１位置から第２位置の部分は、前記凹部を挟持し、同時に、前記ベース材に前記上板へと向かう力を与えるようになっている、ことを特徴とする床見切り。
【手続補正２】
【補正対象書類名】明細書
【補正対象項目名】０００６
【補正方法】変更
【補正の内容】
【０００６】
上記目的を達成するために本考案に係る床見切りは、同一断面が長手方向に連続する長尺物のカバー材と、前記カバー材が上部から嵌着される、同一断面が長手方向に連続する長尺物のベース材と、で構成される床見切りにおいて、前記カバー材は、上板と、長手方向に直交する断面において、前記上板の下部の両端近傍に設けられている一対の嵌着用突起と、を備えており、前記一対の嵌着用突起の各々は、弾性を有し、前記上板に直交する向き、又は、前記向きよりも嵌着用突起の間隔が広くなる向きに伸び、その先の第１位置で前記嵌着用突起の間隔が狭くなる向きで、水平よりも下方に屈曲し、その先の第２位置で終端しており、前記一対の嵌着用突起の第２位置の間隔は前記一対の嵌着用突起の基部の間隔よりも狭くなっており、前記ベース材は、長手方向に直交する断面において、前記上板の底面に向かい合う上面と、前記一対の嵌着用突起の第１位置から第２位置に沿う形状の部分を持つ凹部を有する両側部と、で区画される中実の部分を備えており、前記カバー材を前記ベース材に嵌着させた場合、前記一対の嵌着用突起の第１位置から第２位置の部分は、前記凹部を挟持し、同時に、前記ベース材に前記上板へと向かう力を与えるようになっている、ことを特徴とする。